(57)【要約】【課題】 無線リモコン装置を提供する。【解決手段】  主にリモコンと無線受信機を具え、該リモコンはケースを具え、該ケースの片側には無線受信機を収納可能な設置槽を設置し、ケース内には保存装置と制御装置を設置し、保存装置は予め設置するホストコンピュータと電気的に接続するエクスプレスカードインターフェースを具える。リモコンはは保存装置に設置するエクスプレスカードインターフェースを通してホストコンピュータと電気的に接続し、データを保存装置に書き込み或いは保存装置が保存するデータをホストコンピュータに伝送し、リモコンにデータ読み取りと保存の機能を持たせる。該無線受信機は予め設置するホストコンピュータと電気的に接続するUSBインターフェースを具える。無線リモコン装置の全体設計はエクスプレスカードのサイズ規格に符合し、無線リモコン装置全体をエクスプレスカードスロット内に収納可能で、携帯に便利で無線受信機の遺失を防止する。【選択図】  図３
0003123140.tif 000002
【実用新案登録請求の範囲】
【請求項１】
主に保存装置を具え、エクスプレスカードのサイズ規格に符合し、リモコンと無線受信機を具え、
該リモコンはケースを具え、該ケースの片側表面には無線受信機を収納可能な設置槽を設置し、該リモコンはケース内に、データを保存可能な保存装置と  使用者の操作により制御信号を発する制御装置を設置し、
該保存装置は予め設置するホストコンピュータと電気的に接続するエクスプレスカードインターフェースを具え、該エクスプレスカードインターフェースは順番にフラッシュメモリ制御チップとフラッシュメモリを接続し、
該制御装置はマイクロコントローラーを具え、しかも該マイクロコントローラーはそれぞれ複数のボタン、発射アンテナ、電池を接続し、該複数のボタンは該ケース表面に設置し、
該無線受信機は予め設置するホストコンピュータと電気的に接続するUSBインターフェースを具え、しかも該USBインターフェースは順番にマイクロコントローラーと受信アンテナを接続することを特徴とする無線リモコン装置。
【請求項２】
前記制御装置のマイクロコントローラーはさらにインジケーターを接続することを特徴とする請求項１記載の無線リモコン装置。
【請求項３】
前記制御装置のマイクロコントローラーはさらにセンサーを接続することを特徴とする請求項１記載の無線リモコン装置。
【請求項４】
前記制御装置のマイクロコントローラーと該発射アンテナ間にはさらにRF回路を設置することを特徴とする請求項１記載の無線リモコン装置。
【請求項５】
前記無線受信機のマイクロコントローラーと受信アンテナ間にはさらRF回路を設置することを特徴とする請求項１記載の無線リモコン装置。
【請求項６】
前記無線受信機のマイクロコントローラーはさらにインジケーターを設置することを特徴とする請求項１記載の無線リモコン装置。
【考案の詳細な説明】
【技術分野】
【０００１】
本考案は一種の無線リモコン装置に関する。特に一種の無線受信機を無線リモコン装置内に内蔵可能で、該無線リモコン装置はエクスプレスカードのサイズ規格に符合し、無線リモコン装置全体をエクスプレスカードスロット内に収納可能で、しかも該無線リモコン装置そのものが読取り及び保存の機能を具える無線リモコン装置に係る。
【背景技術】
【０００２】
現在ではブリーフィングの道具、或いはコンピュータゲームを楽しんだり、DVDを見たり、音楽を聞いたりなどエンターテイメントのプラットフォームとしてデスクトップPCやノートPCは広く普及している。コンピュータを用いブリーフィングを行い、或いはマルチメディア機能を執行する時に、無線リモコン装置があれば非常に便利である。しかし現在市販されている無線リモコン装置は無線受信機と無線リモコンが２個の独立した物体となっており、使用者は無線リモコン装置を使用する時、しばしば無線受信機を遺失してしまう。
さらに、データの読取りと保存のニーズは日増しに増大しており、各種メモリを利用し設計、製造されたポータブル保存装置も普及している。しかし、現在の無線リモコン装置と保存装置は基本的には２個の異なる独立した装置であるため、大多数の使用者は多くのこの種の装置を携帯しなければならず、非常に不便でまた遺失の危険も高まる。また業界では２個の製品を生産することになるため、コストが相対的に高くなってしまう。
よって、保存装置と無線リモコン装置を統合し、無線受信機と無線リモコンを一体とし、製品の使用機会と携帯電話端末の利便性を向上させ、生産コストを低下させることが求められている。
【考案の開示】
【考案が解決しようとする課題】
【０００３】
公知構造には以下の欠点があった。
すなわち、公知の無線リモコン装置は無線受信機と無線リモコンが２個の独立した物体となっているため無線受信機の遺失がおき易い。さらに、公知の無線リモコン装置と保存装置は２個の独立した装置であるため、携帯の便が悪く非常に不便で、また遺失の危険性も高まるり、またコストも相対的に高くなってしまう。
本考案は上記構造の問題点を解決した無線リモコン装置を提供するものである。
【課題を解決するための手段】
【０００４】
上記課題を解決するため、本考案は下記の無線リモコン装置を提供する。
それは主に無線リモコン装置の全体設計はエクスプレスカードのサイズ規格に符合し、完全に外部に露出しない状況でエクスプレスカードスロット内に収容可能であるため携帯に便利で、
さらにそれは、リモコンのケース上には設置槽を設置し、受信機を収納可能で、これにより一体と成し、エクスプレスカードスロット内に設置することができるため、受信機の遺失を防止可能で、
またそれはリモコン内に設置する保存装置を利用し、リモコンはホストコンピュータと接続し、データを保存することができ、こうしてリモコンはデータの読取り或いは保存の機能を具備するため、リモコンと保存の機能を統合し、使用の利便性を向上可能で、
加えてそのリモコンと保存装置は１個のケースを共用するため、組立て時間を短縮し、生産コストを低下させ、特に製造時に必要な型のコストを低下させることができるため、全体的なコストを引き下げることを特徴とする無線リモコン装置である。
【考案の効果】
【０００５】
上記のように、本考案はリモコンのケース片側表面に設置する設置槽を利用し、使用者はリモコンを使用しないときには、受信機を設置槽内に収納することができるため、該受信機の遺失を防止することができる。さらに本考案はリモコン内に設置する保存装置を利用し、リモコンは該保存装置に設置するエクスプレスカードインターフェースを通して、ホストコンピュータと電気的に接続し、これにより使用者はホストコンピュータを利用し、リモコンに対してデータの読取り或いは保存の指令を下し、データをフラッシュメモリに書き込み、或いはフラッシュメモリが保存するデータをホストコンピュータに伝送することができるため、リモコンにデータの読取り或いは保存の機能を持たせることができる。また本考案はリモコンが設置するケースを利用し、保存装置と制御装置を設置し、これにより保存装置は制御装置と１個のケースを共用するため、製品価格と製造時に必要な金型コストを低下させることができる。
【考案を実施するための最良の形態】
【０００６】
図１、２、３、４、５、６、７に示すように、本考案はリモコン１と受信機２を設置する。該リモコン１はケース１１を具え、かつ該ケース１１の片側表面には設置槽１１１を設置する。該設置槽１１１は該リモコン１を使用しない時には該受信機２を収納可能で、該受信機２の遺失を防止することができる。該リモコン１内部には保存装置１２と制御装置１３を具え、該保存装置１２はエクスプレスカードインターフェース１２１(該エクスプレスカードインターフェース１２１はPCMCIA)を設置し、しかも該エクスプレスカードインターフェース１２１は順番にフラッシュメモリ制御チップ１２２、フラッシュメモリ１２３を接続する。該制御装置１３はマイクロコントローラー１３１を具え、しかも該フラッシュメモリ制御チップ１２２はそれぞれ電池１３２、RF回路１３３、インジケーター１３４、複数のボタン１３５、センサー１３７を接続する。該電池１３２は該RF回路１３３に連接し、該RF回路１３３は発射アンテナ１３６を接続する。
【０００７】
該エクスプレスカードインターフェース１２１は該ケース１１の片側に設置され、予め設置するホストコンピュータ３に接続する。
該フラッシュメモリ制御チップ１２２は該エクスプレスカードインターフェース１２１を通してホストコンピュータエンドが保存或いは読み取る必要があるデータを該フラッシュメモリ１２２に保存し、或いは該フラッシュメモリ１２３より読み出しがホストコンピュータ３に伝送する。
該フラッシュメモリ１２３はデータを保存することができる。
該マイクロコントローラー１３１は該ボタン１３５により伝送された信号を受信し、信号の内容に基づき関連した処理を行う。
該電池１３２は該制御装置１３に運転時に必要な電力を供給する。
【０００８】
該RF回路１３３は該マイクロコントローラー１３１が発する信号を受信し、該信号に対して特性変化を行い、これにより、チャンネルの特性が相互に対応し、特性改変後の信号は発射アンテナ１３６に伝送される。
該インジケーター１３４は使用者が該制御装置１３を操作時に点灯し、使用者に該制御装置１３の作動状況を告知する。
該複数のボタン１３５は該ケース１１の表面に設置し、該各ボタン１３５は使用者が押すことにより対応した制御信号を発する。しかも、該信号は該マイクロコントローラー１３１に伝送され、関連した処理が行われる。
該発射アンテナ１３６は該RF回路１３３が伝送して来た信号を該受信機２が設置する受信アンテナ２４に発送する。
該センサー１３７は該ケース１１表面或いは内部に設置し、しかも該センサー１３７は使用者或いは外部の環境変化(圧力、温度など)を受けて、対応する制御信号を発する。かつ該信号は該マイクロコントローラー１３１に伝送され、関連した処理が行われる。
【０００９】
該受信機２はUSBインターフェース２１を具え、かつ該USBインターフェース２１は順番にマイクロコントローラー２２、RF回路２３、受信アンテナ２４を接続する。該マイクロコントローラー２２はインジケーター２５を接続する。
該USBインターフェース２１はホストコンピュータ３に接続する。
該マイクロコントローラー２２はRF回路２３が伝送する信号を受信し、該信号はUSBインターフェース２１を通して該ホストコンピュータ３に伝送される。
該インジケーター２５は信号を受信すると点灯し、使用者に該受信機２の作動状況を告知する。
該RF回路２３は特性改変後の信号を元に戻し、該マイクロコントローラー２２に伝送することができる。
該受信アンテナ２４は該発射アンテナ１３６が発する信号を受信し、該受信した信号を該RF回路２３に伝送する。
【００１０】
次に図１、３、７に示すように、使用者が本考案を利用し該ホストコンピュータ３を操作しようとする場合には、先ず該受信機２を該ホストコンピュータ３に接続し、該受信機２が設置する該USBインターフェース２１と該ホストコンピュータ３を電気的に接続する。しかも該ホストコンピュータ３は該USBインターフェース２１を通して該受信機２の作動時に必要な電力を供給する。
この時、使用者は該制御装置１３が設置する複数のボタン１３５を利用し該ホストコンピュータ３を操作することができる。使用者が該ボタン１３５を押すと、該ボタン１３５は該マイクロコントローラー１３１に信号を発信し、或いは該センサー１３７により信号を該マイクロコントローラー１３１に発信する。
該マイクロコントローラー１３１は信号を受信後、該信号と相互に対応する制御信号を該RF回路１３３に発信する。該RF回路１３３は該制御信号を受信すると、該制御信号に対して特性改変を行い、これによりチャンネルの特性は相互に対応する。また特性改変後の制御信号は該発射アンテナ１３６に伝送され、さらに該受信機２に設置する受信アンテナ２４に発射される。
該受信アンテナ２４は該特性が既に改変された制御信号を受信すると、該RF回路２３に伝送し、該RF回路２３は該信号に対して還元を行い、該還元後の制御信号は該マイクロコントローラー２２に伝送される。この時、該マイクロコントローラー２２は該USBインターフェース２１を通して該制御信号を該ホストコンピュータ３に伝送する。こうして該ホストコンピュータ３は該制御信号に基づき関連処理を行う。
さらに使用者が該制御装置１３に設置する該複数のボタン１３５を押し、該ホストコンピュータ３を操作する時には、該インジケーター１３４は点灯し、使用者に該制御装置１３の正常な作動を告知する。
該ホストコンピュータ３はデスクトップPC、ノートPC、デジタルテレビで、該インジケーター１３４、２５は発光ダイオード或いはレーザーダイオードである。
【００１１】
続いて図１、３、８に示すように、該リモコン１は該エクスプレスカードインターフェース１２１を通して、該ホストコンピュータ３と電気的に接続する時、該ホストコンピュータ３は該エクスプレスカードインターフェース１２１を通して該リモコン１の作動時に必要な電力を提供する。使用者が該ホストコンピュータ３を利用し該リモコン１に対してデータの読取り或いは保存の指令を下す時、該指令は該エクスプレスカードインターフェース１２１を通して該フラッシュメモリ制御チップ１２２に伝送される。該フラッシュメモリ制御チップ１２２は指令の内容に基づき、データを該フラッシュメモリ１２３に保存し、或いは該フラッシュメモリ１２３が保存するデータを読取り該ホストコンピュータ３に伝送する。
【図面の簡単な説明】
【００１２】
【図１】本考案の外観図である。
【図２】本考案の分解図である。
【図３】本考案のブロックチャートである。
【図４】本考案の保存装置の回路図である。
【図５】本考案の制御装置の回路図である。
【図６】本考案の受信機の回路図である。
【図７】本考案の使用状態指示図である。
【図８】本考案の別種の使用状態指示図である。
【符号の説明】
【００１３】
１  リモコン
１１  ケース
１１１  設置槽
１２  保存装置
１２１  エクスプレスカードインターフェース
１２２  フラッシュメモリ制御チップ
１２３  フラッシュメモリ
１３  制御装置
１３１  マイクロコントローラー
１３２  電池
１３３  RF回路
１３４  インジケーター
１３５  ボタン
１３６  発射アンテナ
１３７  センサー
２  受信機
２１  USBインターフェース
２２  マイクロコントローラー
２３  RF回路
２４  受信アンテナ
２５  インジケーター
３  ホストコンピュータ
【図１】
0003123140.tif 000003
【図２】
0003123140.tif 000004
【図３】
0003123140.tif 000005
【図４】
0003123140.tif 000006
【図５】
0003123140.tif 000007
【図６】
0003123140.tif 000008
【図７】
0003123140.tif 000009
【図８】
0003123140.tif 000010